(57)【要約】      （修正有）【課題】乗りかご用ガイドレールまたは釣合重り用ガイドレールと緩衝装置との間の位置関係に関わらず緩衝装置を容易に取り付けることができるエレベータの緩衝装置取付台を提供する。【解決手段】エレベータの緩衝装置取付台１０は、一対の乗りかご用ガイドレールまたは一対の釣合重り用ガイドレールを支持する一対のレール支持部材１１と、一対のレール支持部材１１間の略中央に位置し、緩衝装置を支持する装置取付部材１２とを備えている。また、一方のレール支持部材１１と装置取付部材１２との間、および他方のレール支持部材１１と装置取付部材１２との間に一対の連結部材２０が各々配置されている。また、各連結部材２０は、各々がその長さを調節できるようになっている。【選択図】図２
2009214999.tif 000002
【特許請求の範囲】
【請求項１】
一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、
一対の乗りかご用ガイドレールまたは一対の釣合重り用ガイドレールを支持する一対のレール支持部材と、
一対のレール支持部材間の略中央に位置し、緩衝装置を支持する装置取付部材と、
一方のレール支持部材と装置取付部材との間、および他方のレール支持部材と装置取付部材との間に各々配置され、各々がその長さを調節できる一対の連結部材と、を備えたことを特徴とするエレベータの緩衝装置取付台。
【請求項２】
各連結部材は、長手方向に分割された複数の分割部材を有することを特徴とする請求項１に記載のエレベータの緩衝装置取付台。
【請求項３】
各連結部材は、第１部材と、この第１部材に対して長手方向に摺動自在な第２部材と、第１部材と第２部材とを締結する締結手段とを有することを特徴とする請求項１に記載のエレベータの緩衝装置取付台。
【請求項４】
各レール支持部材と各連結部材のうち、一方にフック部材が設けられ、他方にフック部材に係合される係合部が設けられ、このフック部材と係合部とによって各レール支持部材と各連結部材が連結され、
装置取付部材と各連結部材のうち、一方にフック部材が設けられ、他方にフック部材に係合される係合部が設けられ、このフック部材と係合部とによって装置取付部材と各連結部材が連結されることを特徴とする請求項１乃至３のいずれかに記載のエレベータの緩衝装置取付台。
【請求項５】
各レール支持部材と各連結部材のうち、一方に磁石部材が設けられ、他方に磁石部材に吸着される吸着部が設けられ、この磁石部材と吸着部とによって各レール支持部材と各連結部材が連結され、
装置取付部材と各連結部材のうち、一方に磁石部材が設けられ、他方に磁石部材に吸着される吸着部が設けられ、この磁石部材と吸着部とによって装置取付部材と各連結部材が連結されることを特徴とする請求項１乃至３のいずれかに記載のエレベータの緩衝装置取付台。
【請求項６】
一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、
一対の乗りかご用ガイドレールまたは一対の釣合重り用ガイドレールを支持する一対のレール支持部材と、
一対のレール支持部材の間に連結される連結部材と、
この連結部材の側方に連結され、緩衝装置を支持する装置取付部材と、を備え、
各レール支持部材と各連結部材のうち、一方にフック部材が設けられ、他方にフック部材に係合される係合部が設けられ、このフック部材と係合部とによって各レール支持部材と各連結部材が連結され、
装置取付部材と各連結部材のうち、一方にフック部材が設けられ、他方にフック部材に係合される係合部が設けられ、このフック部材と係合部とによって装置取付部材と各連結部材が連結されることを特徴とするエレベータの緩衝装置取付台。
【請求項７】
一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、
一対の乗りかご用ガイドレールまたは一対の釣合重り用ガイドレールを支持する一対のレール支持部材と、
一対のレール支持部材の間に連結される連結部材と、
この連結部材の側方に連結され、緩衝装置を支持する装置取付部材と、を備え、
各レール支持部材と各連結部材のうち、一方に磁石部材が設けられ、他方に磁石部材に吸着される吸着部が設けられ、この磁石部材と吸着部とによって各レール支持部材と各連結部材が連結され、
装置取付部材と各連結部材のうち、一方に磁石部材が設けられ、他方に磁石部材が吸着する吸着部が設けられ、この磁石部材と吸着部とによって装置取付部材と各連結部材が連結されることを特徴とするエレベータの緩衝装置取付台。
【請求項８】
一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、
昇降路の底面に設置され、上面に複数の凸部を有するベースと、
ベース上に設けられ、下面にベースの凸部に係合するスリット部を有し、一対の乗りかご用ガイドレールまたは一対の釣合重り用ガイドレールを支持する一対のレール支持部材と、
ベース上に設けられ、下面にベースの凸部に係合するスリット部を有し、緩衝装置を支持する装置取付部材と、を備えたことを特徴とするエレベータの緩衝装置取付台。
【発明の詳細な説明】
【技術分野】
【０００１】
本発明は、エレベータの昇降路の底部に設けられ、昇降路内を昇降する乗りかご、または乗りかごに主ロープを介して連結された釣合重りに対応して設けられた緩衝装置を支持するエレベータの緩衝装置取付台に係り、とりわけ、乗りかご用ガイドレールまたは釣合重り用ガイドレールと緩衝装置との間の位置関係に関わらず緩衝装置を取り付けることができるエレベータの緩衝装置取付台に関する。
【背景技術】
【０００２】
従来より、図９に示すように、昇降路７６の底部７６ａに設置されるエレベータの緩衝装置取付台７０が知られている。このエレベータの緩衝装置取付台７０は、取付台本体７１と、取付台本体７１の両端に位置し、一対の乗りかご用ガイドレール７４または一対の釣合重り用ガイドレール７５を支持する一対のレール支持部７２と、取付台本体７１の略中央に位置し、乗りかごまたは釣合重りに対応して設けられる緩衝装置を支持する装置取付部７３とを備えている。このうち、各レール支持部７２は、一対の乗りかご用ガイドレール７４または一対の釣合重り用ガイドレール７５の位置に対応するように設けられるとともに、装置取付部７３は、緩衝装置に対応する位置に設けられる。
【発明の開示】
【発明が解決しようとする課題】
【０００３】
従来のエレベータの緩衝装置取付台は、一対の乗りかご用ガイドレールまたは一対の釣合重り用ガイドレールと緩衝装置との間の位置関係に合わせて各エレベータ毎に個別に製作されている。このため、エレベータの緩衝装置取付台の種類が多岐に渡り、緩衝装置取付台を製作する際の管理が煩雑になっている。
【０００４】
このような問題に対処するために、一対の乗りかご用ガイドレールまたは一対の釣合重り用ガイドレールと緩衝装置との間の距離に関わらず緩衝装置を取り付けることができる緩衝装置取付台が知られている（例えば、特許文献１および特許文献２参照）。
【特許文献１】特開２００４−８３２０５号公報
【特許文献２】実開平６−４２８７７号公報
【０００５】
このうち特許文献１に示す緩衝装置取付台は構造が比較的複雑である。このため、特許文献１に示す緩衝装置取付台を取り付ける際、一対の乗りかご用ガイドレールまたは一対の釣合重り用ガイドレールおよび緩衝装置に対して寸法調整を行うことが比較的困難である。
【０００６】
本発明は、このような点を考慮してなされたものであり、乗りかご用ガイドレールまたは釣合重り用ガイドレールと緩衝装置との間の位置関係に関わらず緩衝装置を容易に取り付けることができるエレベータの緩衝装置取付台を提供することを目的とする。
【課題を解決するための手段】
【０００７】
本発明は、一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、一対の乗りかご用ガイドレールまたは一対の釣合重り用ガイドレールを支持する一対のレール支持部材と、一対のレール支持部材間の略中央に位置し、緩衝装置を支持する装置取付部材と、一方のレール支持部材と装置取付部材との間、および他方のレール支持部材と装置取付部材との間に各々配置され、各々がその長さを調節できる一対の連結部材と、を備えたことを特徴とするエレベータの緩衝装置取付台である。
【０００８】
本発明は、各連結部材は、長手方向に分割された複数の分割部材を有することを特徴とするエレベータの緩衝装置取付台である。
【０００９】
本発明は、各連結部材は、第１部材と、この第１部材に対して長手方向に摺動自在な第２部材と、第１部材と第２部材とを締結する締結手段とを有することを特徴とするエレベータの緩衝装置取付台である。
【００１０】
本発明は、各レール支持部材と各連結部材のうち、一方にフック部材が設けられ、他方にフック部材に係合される係合部が設けられ、このフック部材と係合部とによって各レール支持部材と各連結部材が連結され、装置取付部材と各連結部材のうち、一方にフック部材が設けられ、他方にフック部材に係合される係合部が設けられ、このフック部材と係合部とによって装置取付部材と各連結部材が連結されることを特徴とするエレベータの緩衝装置取付台である。
【００１１】
本発明は、各レール支持部材と各連結部材のうち、一方に磁石部材が設けられ、他方に磁石部材に吸着される吸着部が設けられ、この磁石部材と吸着部とによって各レール支持部材と各連結部材が連結され、装置取付部材と各連結部材のうち、一方に磁石部材が設けられ、他方に磁石部材に吸着される吸着部が設けられ、この磁石部材と吸着部とによって装置取付部材と各連結部材が連結されることを特徴とするエレベータの緩衝装置取付台である。
【００１２】
本発明は、一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、一対の乗りかご用ガイドレールまたは一対の釣合重り用ガイドレールを支持する一対のレール支持部材と、一対のレール支持部材の間に連結される連結部材と、この連結部材の側方に連結され、緩衝装置を支持する装置取付部材と、を備え、各レール支持部材と各連結部材のうち、一方にフック部材が設けられ、他方にフック部材に係合される係合部が設けられ、このフック部材と係合部とによって各レール支持部材と各連結部材が連結され、装置取付部材と各連結部材のうち、一方にフック部材が設けられ、他方にフック部材に係合される係合部が設けられ、このフック部材と係合部とによって装置取付部材と各連結部材が連結されることを特徴とするエレベータの緩衝装置取付台である。
【００１３】
本発明は、一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、一対の乗りかご用ガイドレールまたは一対の釣合重り用ガイドレールを支持する一対のレール支持部材と、一対のレール支持部材の間に連結される連結部材と、この連結部材の側方に連結され、緩衝装置を支持する装置取付部材と、を備え、各レール支持部材と各連結部材のうち、一方に磁石部材が設けられ、他方に磁石部材に吸着される吸着部が設けられ、この磁石部材と吸着部とによって各レール支持部材と各連結部材が連結され、装置取付部材と各連結部材のうち、一方に磁石部材が設けられ、他方に磁石部材が吸着する吸着部が設けられ、この磁石部材と吸着部とによって装置取付部材と各連結部材が連結されることを特徴とするエレベータの緩衝装置取付台である。
【００１４】
本発明は、一対の乗りかご用ガイドレールおよび一対の釣合重り用ガイドレールが設置されたエレベータの昇降路の底部に設けられ、昇降路内を昇降する乗りかご、または乗りかごに主ロープを介して連結された釣合重りに対応して設けられた緩衝装置を支持するエレベータの緩衝装置取付台において、昇降路の底面に設置され、上面に複数の凸部を有するベースと、ベース上に設けられ、下面にベースの凸部に係合するスリット部を有し、一対の乗りかご用ガイドレールまたは一対の釣合重り用ガイドレールを支持する一対のレール支持部材と、ベース上に設けられ、下面にベースの凸部に係合するスリット部を有し、緩衝装置を支持する装置取付部材と、を備えたことを特徴とするエレベータの緩衝装置取付台である。
【発明の効果】
【００１５】
本発明によれば、昇降路の底部に一対の乗りかご用ガイドレールまたは一対の釣合重り用ガイドレールを支持する一対のレール支持部材が設けられ、この一対のレール支持部材間の略中央に、緩衝装置を支持する装置取付部材が配置される。また、一対のレール支持部材うちの一方のレール支持部材と装置取付部材との間、および他方のレール支持部材と装置取付部材との間に、各々がその長さを調節できる一対の連結部材が各々配置される。このことにより、レール支持部材と装置取付部材との間の距離に対応して連結部材の長さを調節することができる。このため、乗りかご用ガイドレールまたは釣合重り用ガイドレールと緩衝装置との間の位置関係に関わらず緩衝装置を取り付けることができる。
【００１６】
また本発明によれば、昇降路の底部に一対の乗りかご用ガイドレールまたは一対の釣合重り用ガイドレールを支持する一対のレール支持部材が設けられ、この一対のレール支持部材の間に連結部材が連結される。また、この連結部材の側方に、緩衝装置を支持する装置取付部材が連結される。このことにより、装置取付部材を、各レール支持部材間の長手方向に配置するだけでなく、長手方向とは直交する方向にも配置することができる。また、各レール支持部材、連結部材、および装置取付部材は、ボルト等を用いることなく、各々に設けられたフック部材が対応する係合部に順次係合されて互いに連結される。このことにより、各レール支持部材、連結部材、および装置取付部材を互いに容易に連結することができる。このため、乗りかご用ガイドレールまたは釣合重り用ガイドレールと緩衝装置との間の位置関係が一直線上に配置されることがない多様な位置関係にある場合においても、緩衝装置を容易に取り付けることができる。
【００１７】
また本発明によれば、昇降路の底部に一対の乗りかご用ガイドレールまたは一対の釣合重り用ガイドレールを支持する一対のレール支持部材が設けられ、この一対のレール支持部材の間に連結部材が連結される。また、この連結部材の側方に、緩衝装置を支持する装置取付部材が連結される。このことにより、装置取付部材を、各レール支持部材間の長手方向に配置するだけでなく、長手方向とは直交する方向にも配置することができる。また、各レール支持部材、連結部材、および装置取付部材は、ボルト等を用いることなく、各々に設けられた磁石部材が対応する吸着部に順次吸着されて互いに連結される。このことにより、各レール支持部材、連結部材、および装置取付部材を互いに容易に連結することができる。このため、乗りかご用ガイドレールまたは釣合重り用ガイドレールと緩衝装置との間の位置関係が一直線上に配置されることがない多様な位置関係にある場合においても、緩衝装置を容易に取り付けることができる。
【００１８】
さらに本発明によれば、昇降路の底面に、上面に複数の凸部を有するベースが設置され、このベース上に、下面にベースの凸部に係合するスリット部を有し、一対の乗りかご用ガイドレールまたは一対の釣合重り用ガイドレールを支持する一対のレール支持部材が設けられる。また、ベース上に、下面にベースの凸部に係合するスリット部を有し、緩衝装置を支持する装置取付部材が設けられる。この場合、各レール支持部材および装置取付部材は、ベース上の複数の凸部に対応する位置に取り付けることができる。このことにより、装置取付部材を、各レール支持部材間の長手方向に配置するだけでなく、長手方向とは直交する方向にも配置することができる。また、各レール支持部材および装置取付部材は、ボルト等を用いることなく、各レール支持部材下面のスリット部および装置取付部材下面のスリット部をベース上の凸部に各々係合させてベース上に取り付けられる。このことにより、各レール支持部材および装置取付部材をベース上に容易に取り付けることができる。このため、乗りかご用ガイドレールまたは釣合重り用ガイドレールと緩衝装置との間の位置関係が一直線上に配置されることがない多様な位置関係にある場合においても、エレベータの緩衝装置取付台を容易に取り付けることができる。
【発明を実施するための形態】
【００１９】
第１の実施の形態
以下、図面を参照して、本発明の実施の形態について説明する。ここで、図１および図２は、本発明の第１の実施の形態におけるエレベータの緩衝装置取付台を示す図である。このうち図１は、エレベータ装置の全体構成を示す図であり、図２（ａ）は、本発明の第１の実施の形態におけるエレベータの緩衝装置取付台を示す平面図であり、図２（ｂ）は図２（ａ）の側面図である。
【００２０】
まず、図１によりエレベータ装置１の全体構成について説明する。図１に示すようにエレベータ装置１は、昇降路２内を一対の乗りかご用ガイドレール４により案内されて昇降する乗りかご３と、この乗りかご３に主ロープ５を介して連結され、昇降路２内を一対の釣合重り用ガイドレール７により案内されて昇降する釣合重り６と、この主ロープ５を駆動する駆動装置８とを備えている。また、昇降路２の底部２ａに、乗りかご３および釣合重り６に対応して配置され、何らかのトラブルにより乗りかご３または釣合重り６が昇降路２内を降下して昇降路２の底部２ａに衝突する場合に、この衝撃を緩衝する緩衝装置９が、緩衝装置取付台１０を介して取り付けられている。
【００２１】
次に本発明によるエレベータの緩衝装置取付台１０について、図２（ａ）、（ｂ）を用いて説明する。ここでエレベータの緩衝装置取付台１０は、上述した緩衝装置９を支持するためのものである。
【００２２】
図２（ａ）、（ｂ）に示すようにエレベータの緩衝装置取付台１０は、一対の乗りかご用ガイドレール４（図１参照）または一対の釣合重り用ガイドレール７を支持する一対のレール支持部材１１と、一対のレール支持部材１１間の略中央に位置し、緩衝装置９を支持する装置取付部材１２とを備えている。また、一方のレール支持部材１１と装置取付部材１２との間、および他方のレール支持部材１１と装置取付部材１２との間に、各々がその長さを調節できる一対の連結部材１９が配置されている。
【００２３】
また、各連結部材１９は、長手方向（各レール支持部材１２間の方向）に分割された複数、例えば２個の分割部材２０を有している。なお、本実施の形態においては、一対のレール支持部材１１と装置取付部材１２との間に、第１分割部材２１および第２分割部材２２からなる分割部材２０が各々連結されている場合について述べる。しかしながら一対のレール支持部材１１と装置取付部材１２との間に各々連結される分割部材２０の個数は２つに限られることなく、各レール支持部材１１と装置取付部材１２との間の距離に対応して任意の個数とすることもできる。
【００２４】
また、図２（ａ）、（ｂ）に示すように、各レール支持部材１１は、断面がＬ字形に形成された一対の形鋼１１ａと、各形鋼１１ａの一端に固設され、第１分割部材２１に当接する当接板１１ｂとを有し、矩形状に形成されている。また、この当接板１１ｂに、後述するボルト等１５を装着する取付穴（図示せず）が設けられている。また、当接板１１ｂの反対側に乗りかご用ガイドレール４または釣合重り用ガイドレール７を取り付けるレール取付座１１ｃが設けられている。
【００２５】
また、装置取付部材１２は、断面がＬ字形に形成された一対の形鋼１２ａと、各形鋼１２ａの両端に固設され、第２分割部材２２に当接する一対の当接板１２ｂとを有し、矩形状に形成されている。また、各当接板１２ｂに、後述するボルト等１５を装着する取付穴（図示せず）が設けられている。また、各形鋼１２ａの上方に、装置取付穴１２ｄを含み緩衝装置９を支持する装置取付座１２ｃが設けられている。
【００２６】
また、第１分割部材２１は、断面がＬ字形に形成された一対の形鋼２１ａと、各形鋼２１ａの両端に固設され、レール支持部材１１、または第２分割部材２２に当接する一対の当接板２１ｂとを有し、矩形状に形成されている。また、各当接板２１ｂに、後述するボルト等１５を装着する取付穴（図示せず）が設けられている。
【００２７】
この第１分割部材２１と同様に、第２分割部材２２は、断面がＬ字形に形成された一対の形鋼２２ａと、各形鋼２２ａの両端に固設され、第１分割部材２１、または装置取付部材１２に当接する一対の当接板２２ｂとを有し、矩形状に形成されている。また、各当接板２２ｂに、後述するボルト等１５を装着する取付穴（図示せず）が設けられている。
【００２８】
また、図２（ａ）、（ｂ）に示すように、レール支持部材１１の当接板１１ｂに設けられた取付穴と、第１分割部材２１の取付板２１ｂに設けられた取付穴にボルト等１５が装着され、レール支持部材１１に第１分割部材２１が連結されている。また、装置取付部材１２の当接板１２ｂに設けられた取付穴と、第２分割部材２２の当接板２２ｂに設けられた取付穴にボルト等１５が装着され、装置取付部材１２に第２分割部材２２が連結されている。さらに、第１分割部材２１の当接板２１に設けられた取付穴と、第２分割部材２２の当接板２２ｂに設けられた取付穴にボルト等１５が装着され、第１分割部材２１に第２分割部材２２が連結されている。
【００２９】
次に、このような構成からなる本実施の形態の作用、すなわち本発明によるエレベータ緩衝装置取付台を取り付ける方法について説明する。
【００３０】
まず、図２（ａ）、（ｂ）に示すように、昇降路２の底部２ａ（図１参照）に、乗りかご３または釣合重り６に対応する位置に装置取付部材１２が載置される。
【００３１】
次に、昇降路２の底部２ａであって、装置取付部材１２の両側方に、一対の乗りかご用ガイドレール４または一対の釣合重り用ガイドレール７を支持する一対のレール支持部材１１が載置される。次に、各レール支持部材１１に、レール支持部材１１に設けられたレール取付座１１ｃを介して、対応する乗りかご用ガイドレール４または一対の釣合重り用ガイドレール７が連結される。
【００３２】
次に、一方のレール支持部材１１と装置取付部材１２との間、および他方のレール支持部材１１と装置取付部材１２との間に、複数の分割部材２０を各々有する一対の連結部材１９が取り付けられる。この場合、まず、各レール支持部材１１と装置取付部材１２との間の距離に対応する個数の分割部材２０を準備する。なお、図２（ａ）、（ｂ）に示すように、本実施の形態においては第１分割部材２１および第２分割部材２２からなる２つの分割部材２０を準備する。次に、第１分割部材２１および第２分割部材２２が、一方のレール支持部材１１と装置取付部材１２との間、および他方のレール支持部材１１と装置取付部材１２との間に各々配置される。
【００３３】
次に、レール支持部材１１の当接板１１ｂに設けられた取付穴（図示せず）と、第１分割部材２１の当接板２１ｂに設けられた取付穴（図示せず）にボルト等１５が装着されて、各レール支持部材１１に第１分割部材２１が連結される。同様に、装置取付部材１２の当接板１２ｂに設けられた取付穴（図示せず）と、第２分割部材２２の当接板２２ｂに設けられた取付穴（図示せず）にボルト等１５が装着されて、装置取付部材１２に第２分割部材２２が連結され、さらに、第１分割部材２１の当接板２１ｂに設けられた取付穴（図示せず）と、第２分割部材２２の当接板２２ｂに設けられた取付穴（図示せず）にボルト等１５が装着されて、第１分割部材２１に第２分割部材２２が連結される。
【００３４】
次に、昇降路２の底部２ａ（図１参照）に、アンカーボルト（図示せず）等を用いて連結部材１９の第１分割部材２１が各々固設される。このようにして、昇降路２の底部２ａに緩衝装置取付台１０が固定される。
【００３５】
その後、装置取付部材１２に設けられた装置取付座１２ｃの装置取付穴１２ｄにボルト等（図示せず）が装着されて、装置取付部材１２の装置取付座１２ｃに緩衝装置９が取り付けられる。
【００３６】
このように本実施の形態によれば、昇降路２の底部２ａに一対の乗りかご用ガイドレール４または一対の釣合重り用ガイドレール７を支持する一対のレール支持部材１１が設けられ、この一対のレール支持部材１１間の略中央に、緩衝装置９を支持する装置取付部材１２が配置される。また、一対のレール支持部材１１うちの一方のレール支持部材１１と装置取付部材１２との間、および他方のレール支持部材１１と装置取付部材１２との間に、長手方向に分割された複数の分割部材２０を有する一対の連結部材１９が各々配置される。このことにより、レール支持部材１１と装置取付部材１２との間の距離に対応して、分割部材２０が取り付けられる個数が調節され、連結部材１９の長さを調節することができる。このため、乗りかご用ガイドレール４または釣合重り用ガイドレール７と緩衝装置９との間の位置関係に関わらず緩衝装置９を取り付けることができる。
【００３７】
また、本実施の形態によれば、上述したように、緩衝装置９を支持する装置取付部材１２は各連結部材１９の間に連結されている。このことにより、種類が異なる緩衝装置９を支持する場合には、この異なる緩衝装置９に対応する装置取付部材１２に取り替えて、この異なる緩衝装置９を容易に取り付けることができる。
【００３８】
第２の実施の形態
次に、図３により、本発明の第２の実施の形態におけるエレベータの緩衝装置取付台について説明する。ここで図３（ａ）、（ｂ）は、本発明の第２の実施の形態によるエレベータの緩衝装置取付台を示す平面図であり、図３（ｂ）は、図３（ａ）の側面図である。
【００３９】
図３（ａ）、（ｂ）に示す第２の実施の形態において、連結部材が、第１部材とこの第１部材に対して長手方向に摺動自在な第２部材とを有している点が異なるのみであり、他の構成は、図１および図２に示す第１の実施の形態と略同一である。なお、図３（ａ）、（ｂ）において、図１および図２に示す第１の実施の形態と同一部分には同一符号を付して詳細な説明は省略する。
【００４０】
図３（ａ）、（ｂ）に示すように、各連結部材１９は、第１部材３１と、この第１部材３１に対して長手方向に摺動自在な第２部材３２と、第１部材３１と第２部材３２とを締結する締結手段３３とを有している。
【００４１】
また第１部材３１は、断面がＬ字形に形成された一対の形鋼３１ａと、各形鋼３１ａの一端に固設され、レール支持部材１１に当接する当接板３１ｂと、各形鋼３１ａの側面に設けられ、締結手段３３を装着する複数の締結手段取付穴３１ｃとを含んでいる。このうち当接板３１ｂに、後述するボルト等１５を装着する取付穴（図示せず）が設けられている。
【００４２】
この第１部材３１と同様に、第２部材３２は、断面がＬ字形に形成された一対の形鋼３２ａと、各形鋼３２ａの一端に固設され、装置取付部材１２に当接する当接板３２ｂと、各形鋼３２ａの側面に設けられ、締結手段３３を装着する複数の締結手段取付穴３２ｃとを含んでいる。このうち第２部材３２の各形鋼３２ａは、第１部材３１の各形鋼３１ａの内側を摺動自在となるように配置されて当接板３２ｂが固設され、第２部材３２が形成されている。
【００４３】
なお、この複数の締結手段取付穴３２ｃの代わりに、所望の長さを有する長穴形状の締結手段取付穴３２ｃを設けてもよい。また第２部材３２の当接板３２ｂに、後述するボルト等１５を装着する取付穴（図示せず）が設けられている。
【００４４】
また、図３（ａ）、（ｂ）に示すように、レール支持部材１１の当接板１１ｂに設けられた取付穴（図示せず）と、連結部材１９の第１部材３１の当接板３１ｂに設けられた取付穴にボルト等１５が装着され、レール支持部材１１に第１部材３１が連結されている。また、装置取付部材１２の当接板１２ｂに設けられた取付穴（図示せず）と、連結部材１９の第２部材３２の当接板３２ｂに設けられた取付穴にボルト等１５が装着され、装置取付部材１２に第２部材３２が連結されている。
【００４５】
本実施の形態において、一方のレール支持部材１１と装置取付部材１２との間、および他方のレール支持部材１１と装置取付部材１２との間に、一対の連結部材１９を取り付ける場合、まず、第１部材３１の内側に第２部材３２の外側が摺動するように、第１部材３１に第２部材３２が挿入される。次に、各レール支持部材１１と装置取付部材１２との間に、第１部材３１とこの第１部材３１に挿入された第２部材３２とが配置される。次に、第１部材３１および第２部材３２のうち一方を他方に対して摺動させて、第１部材３１の当接板３１ｂがレール支持部材１１に当接されるとともに、第２部材３２の当接板３２ｂが装置取付部材１２に当接される。
【００４６】
次に、レール支持部材１１の当接板１１ｂに設けられた取付穴（図示せず）と、第１部材３１の当接板３１ｂに設けられた取付穴にボルト等１５が装着されて、各レール支持部材１１に第１部材３１が連結される。同様に、装置取付部材１２の当接板１２ｂに設けられた取付穴と、第２部材３２の当接板３２ｂに設けられた取付穴にボルト等１５が装着されて、装置取付部材１２に第２部材３２が連結される。
【００４７】
次に、第１部材３１の締結手段取付穴３１ｃと第２部材３２の締結手段取付穴３２ｃにボルト等の締結手段３３が装着されて、第１部材３１と第２部材３２が締結される。
【００４８】
次に、昇降路２の底部２ａ（図１参照）に、アンカーボルト（図示せず）等を用いて、一対の連結部材１９の第１部材３１が各々固設される。このようにして、昇降路２の底部２ａに緩衝装置取付台１０が固定される。
【００４９】
このように本実施の形態によれば、一対のレール支持部材１１うちの一方のレール支持部材１１と装置取付部材１２との間、および他方のレール支持部材１１と装置取付部材１２との間に、第１部材３１とこの第１部材３１に対して長手方向に摺動自在な第２部材３２と第１部材３１と第２部材３２とを締結する締結手段３３とを有する連結部材１９が各々配置される。このことにより、レール支持部材１１と装置取付部材１２との間の距離に対応して、第１部材３１および第２部材３２のうち一方を他方に対して摺動させて連結部材１９の長さを調節することができる。このため、乗りかご用ガイドレール４または釣合重り用ガイドレール７と緩衝装置９との間の位置関係に関わらず緩衝装置９を取り付けることができる。
【００５０】
第３の実施の形態
次に、図４により、本発明の第３の実施の形態におけるエレベータの緩衝装置取付台について説明する。ここで図４（ａ）、（ｂ）は、本発明の第３の実施の形態によるエレベータの緩衝装置取付台を示す平面図であり、図４（ｂ）は、図４（ａ）の側面図である。
【００５１】
図４（ａ）、（ｂ）に示す第３の実施の形態において、各レール支持部材、装置取付部、および連結部材が、フック部材を用いて互いに連結される点が異なるのみであり、他の構成は、図１および図２に示す第１の実施の形態と略同一である。なお、図４（ａ）、（ｂ）において、図１および図２に示す第１の実施の形態と同一部分には同一符号を付して詳細な説明は省略する。
【００５２】
図４（ａ）、（ｂ）に示すように、レール支持部材１１の当接板１１ｂに第１フック部材４１が設けられ、第１分割部材２１の当接板２１ｂに、第１フック部材４１に係合される第１係合部４５が設けられている。また、この第１係合部４５が設けられた第１分割部材２１の当接板２１ｂに第２フック部材４２が設けられ、レール支持部材１１の当接板１１ｂに、第２フック部材４２に係合される第２係合部４６が設けられている。
【００５３】
また、第１分割部材２１の当接板２１ｂに第１フック部材４１が設けられ、第２分割部材２２の当接板２２ｂに、第１フック部材４１に係合される第１係合部４５が設けられている。また、この第１係合部４５が設けられた第２分割部材２２の当接板２２ｂに第２フック部材４２が設けられ、第１分割部材２１の当接板２１ｂに、第２フック部材４２に係合される第２係合部４６が設けられている。
【００５４】
さらに、第２分割部材２２の当接板２２ｂに第１フック部材４１が設けられ、装置取付部材１２の当接板１２ｂに、第１フック部材４１に係合される第１係合部４５が設けられている。また、この第１係合部４５が設けられた装置取付部材１２の当接板１２ｂに第２フック部材４２が設けられ、第２分割部材２２の当接板２２ｂに、第２フック部材４２に係合される第２係合部４６が設けられている。
【００５５】
図４（ａ）、（ｂ）に示す本実施の形態において、レール支持部材１１に第１分割部材２１を連結する場合、レール支持部材１１側の第１フック部材４１が、第１分割部材２１側の第１係合部４５に係合されるとともに、第１分割部材２１側の第２フック部材４２が、レール支持部材１１側の第２係合部４６に係合される。このことにより、レール支持部材１１に第１分割部材２１を連結することができる。
【００５６】
また、第１分割部材２１に第２分割部材２２を連結する場合、第１分割部材２１側の第１フック部材４１が、第２分割部材２２側の第１係合部４５に係合されるとともに、第２分割部材２２側の第２フック部材４２が、第１分割部材２１側の第２係合部４６に係合される。このことにより、第１分割部材２１に第２分割部材２２を連結することができる。
【００５７】
さらに、第２分割部材２２に装置取付部材１２を連結する場合、第２分割部材２２側の第１フック部材４１が、装置取付部材１２側の第１係合部４５に係合されるとともに、装置取付部材１２側の第２フック部材４２が、第２分割部材２２側の第２係合部４６に係合される。このことにより、第２分割部材２２に装置取付部材１２を連結することができる。
【００５８】
このように本実施の形態によれば、各レール支持部材１１、連結部材１９の第１分割部材２１および第２分割部材２２、並びに装置取付部材１２は、ボルト等を用いることなく、各々に設けられたフック部材４１、４２が対応する係合部４５、４６に順次係合されて互いに連結される。このことにより、各レール支持部材１１、連結部材１９の第１分割部材２１および第２分割部材２２、並びに装置取付部材１２を互いに容易に連結することができる。
【００５９】
第４の実施の形態
次に、図５により、本発明の第４の実施の形態におけるエレベータの緩衝装置取付台について説明する。ここで図５（ａ）、（ｂ）は、本発明の第４の実施の形態によるエレベータの緩衝装置取付台を示す平面図であり、図５（ｂ）は、図５（ａ）の側面図である。
【００６０】
図５（ａ）、（ｂ）に示す第４の実施の形態において、エレベータの緩衝装置取付台は、各レール支持部材、装置取付部、および連結部材が、磁石部材を用いて互いに連結される点が異なるのみであり、他の構成は、図１および図２に示す第１の実施の形態と略同一である。なお、図５（ａ）、（ｂ）において、図１および図２に示す第１の実施の形態と同一部分には同一符号を付して詳細な説明は省略する。
【００６１】
図５（ａ）、（ｂ）に示すように、レール支持部材１１の当接板１１ｂに第１磁石部材５１が設けられ、第１分割部材２１の当接板２１ｂに、第１磁石部材５１に吸着される第１吸着部５５が設けられている。また、この第１吸着部５５が設けられた第１分割部材２１の当接板２１ｂに第２磁石部材５２が設けられ、レール支持部材１１の当接板１１ｂに、第２磁石部材５２に吸着される第２吸着部５６が設けられている。
【００６２】
また、第１分割部材２１の当接板２１ｂに第１磁石部材５１が設けられ、第２分割部材２２の当接板２２ｂに、第１磁石部材５１に吸着される第１吸着部５５が設けられている。また、この第１吸着部５５が設けられた第２分割部材２２の当接板２２ｂに第２磁石部材５２が設けられ、第１分割部材２１の当接板２１ｂに、第２磁石部材５２に吸着される第２吸着部５６が設けられている。
【００６３】
さらに、第２分割部材２２の当接板２２ｂに第１磁石部材５１が設けられ、装置取付部材１２の当接板１２ｂに、第１磁石部材５１に吸着される第１吸着部５５が設けられている。また、この第１吸着部５５が設けられた装置取付部材１２の当接板１２ｂに第２磁石部材５２が設けられ、この第２分割部材２２の当接板２２ｂに、第２磁石部材５２に吸着される第２吸着部５６が設けられている。
【００６４】
なお、上述した第１吸着部５５および第２吸着部５６は、磁性材料からなっている。
【００６５】
図５（ａ）、（ｂ）に示す本実施の形態において、レール支持部材１１に第１分割部材２１を連結する場合、レール支持部材１１側の第１磁石部材５１が、第１分割部材２１側の第１吸着部５５に吸着されるとともに、第１分割部材２１側の第２磁石部材５２が、レール支持部材１１側の第２吸着部５６に吸着される。このことにより、レール支持部材１１に第１分割部材２１を連結することができる。
【００６６】
また、第１分割部材２１に第２分割部材２２を連結する場合、第１分割部材２１側の第１磁石部材５１が、第２分割部材２２側の第１吸着部５５に吸着されるとともに、第２分割部材２２側の第２磁石部材５２が、第１分割部材２１側の第２吸着部５６に吸着される。このことにより、第１分割部材２１に第２分割部材２２を連結することができる。
【００６７】
さらに、第２分割部材２２に装置取付部材１２を連結する場合、第２分割部材２２側の第１磁石部材５１が、装置取付部材１２側の第１吸着部５５に吸着されるとともに、装置取付部材１２側の第２磁石部材５２が、第２分割部材２２側の第２吸着部５６に吸着される。このことにより、第２分割部材２２に装置取付部材１２を連結することができる。
【００６８】
このように本実施の形態によれば、各レール支持部材１１、連結部材１９の第１分割部材２１および第２分割部材２２、並びに装置取付部材１２は、ボルト等を用いることなく、各々に設けられた磁石部材５１、５２が対応する吸着部５５、５６に順次吸着されて互いに連結される。このことにより、各レール支持部材１１、連結部材１９の第１分割部材２１および第２分割部材２２、並びに装置取付部材１２を互いに容易に連結することができる。
【００６９】
第５の実施の形態
次に、図６により、本発明の第５の実施の形態におけるエレベータの緩衝装置取付台について説明する。ここで図６（ａ）、（ｂ）は、本発明の第５の実施の形態によるエレベータの緩衝装置取付台を示す平面図であり、図６（ｂ）は、図６（ａ）の側面図である。
【００７０】
図６（ａ）、（ｂ）に示す第５の実施の形態において、装置取付部材は連結部材の側方に連結されるとともに、各レール支持部材、装置取付部、および連結部材が、フック部材を用いて互いに連結される点が異なるのみであり、他の構成は、図４に示す第３の実施の形態と略同一である。なお、図６（ａ）、（ｂ）において、図４に示す第３の実施の形態と同一部分には同一符号を付して詳細な説明は省略する。
【００７１】
図６（ａ）、（ｂ）に示すように、一対のレール支持部材１１の間に連結部材１９が連結され、この連結部材１９の側方に、緩衝装置９を支持する装置取付部材１２が連結されている。また、連結部材１９は、長手方向に分割された複数、例えば３個の分割部材２０を有している。なお、本実施の形態においては、各レール支持部材１１の間に、３つの分割部材２０（一対の第１分割部材２１、第２分割部材２２）が連結されている場合について述べる。しかしながら一対のレール支持部材１１の間に連結される分割部材２０の個数は３つに限られることなく、各レール支持部材１１の間の距離に対応して任意の個数とすることもできる。
【００７２】
また、図６（ａ）、（ｂ）に示すように、レール支持部材１１の当接板１１ｂに第１フック部材４１が設けられ、第１分割部材２１の当接板２１ｂに、第１フック部材４１に係合される第１係合部４５が設けられている。また、この第１係合部４５が設けられた第１分割部材２１の当接板２１ｂに第２フック部材４２が設けられ、レール支持部材１１の当接板１１ｂに、第２フック部材４２に係合される第２係合部４６が設けられている。
【００７３】
また、第１分割部材２１の当接板２１ｂに第１フック部材４１が設けられ、第２分割部材２２の当接板２２ｂに、第１フック部材４１に係合される第１係合部４５が設けられている。また、この第１係合部４５が設けられた第２分割部材２２の当接板２２ｂに第２フック部材４２が設けられ、第１分割部材２１の当接板２１ｂに、第２フック部材４２に係合される第２係合部４６が設けられている。
【００７４】
また、装置取付部材１２に隣接する側の第２分割部材２２の形鋼２２ａ側面に、第３フック部材４３が設けられ、第２分割部材２２に隣接する側の装置取付部材１２の形鋼１２ａ側面に、第３フック部材４３に係合される第３係合部４７が設けられている。また、この第３係合部４７が設けられた装置取付部材１２の形鋼１２ａ側面に、第４フック部材４４が設けられ、第２分割部材２２の形鋼２２ａ側面に、第４フック部材４４に係合される第４係合部４８が設けられている。
【００７５】
また、隣接する装置取付部材１２とは反対側の第２分割部材２２の形鋼２２ａ側面に、第３係合部４７および第４フック部材４４が各々設けられている。
【００７６】
また、隣接する第２分割部材２２とは反対側の装置取付部材１２の形鋼１２ａ側面に、第３フック部材４３および第４係合部４８が各々設けられている。
【００７７】
さらに、第２分割部材２２と同様にして、第１分割部材２１の各形鋼２１ａ側面に、第３フック部材４３、および第４フック部材４４が各々設けられるとともに、第３係合部４７、および第４係合部４８が各々設けられている。
【００７８】
このように本実施の形態によれば、昇降路２の底部２ａに一対の乗りかご用ガイドレール４または一対の釣合重り用ガイドレール７を支持する一対のレール支持部材１１が設けられ、この一対のレール支持部材１１の間に連結部材１９が連結される。また、この連結部材１９の側方に、緩衝装置９を支持する装置取付部材１２が連結される。この際、第１分割部材２１、第２分割部材２２、および装置取付部材１２は、いずれも各当接板２１ｂ、２２ｂ、１２ｂだけでなく、各形鋼２１ａ、２２ａ、１２ａ側面にもフック部材４３、４４および係合部４７、４８が各々設けられている。このことにより、第１分割部材２１、第２分割部材２２、および装置取付部材１２を、各レール支持部材１１間の長手方向に配置するだけでなく、長手方向とは直交する方向にも配置することができる。また、各レール支持部材１１、連結部材１９の第１分割部材２１および第２分割部材２２、並びに装置取付部材１２は、ボルト等を用いることなく、各々に設けられたフック部材４１、４２、４３、４４が対応する係合部４５、４６、４７、４８に順次係合されて互いに連結される。このことにより、各レール支持部材１１、連結部材１９の第１分割部材２１および第２分割部材２２、並びに装置取付部材１２を互いに容易に連結することができる。このため、乗りかご用ガイドレール４または釣合重り用ガイドレール７と緩衝装置９との間の位置関係が一直線上に配置されることがない多様な位置関係にある場合においても、緩衝装置９を容易に取り付けることができる。
【００７９】
第６の実施の形態
次に、図７により、本発明の第６の実施の形態におけるエレベータの緩衝装置取付台について説明する。ここで図７（ａ）、（ｂ）は、本発明の第６の実施の形態によるエレベータの緩衝装置取付台を示す平面図であり、図７（ｂ）は、図７（ａ）の側面図である。
【００８０】
図７（ａ）、（ｂ）に示す第６の実施の形態において、装置取付部材は連結部材の側方に連結されるとともに、各レール支持部材、装置取付部、および連結部材が、磁石部材を用いて互いに連結される点が異なるのみであり、他の構成は、図５に示す第４の実施の形態と略同一である。なお、図７（ａ）、（ｂ）において、図５に示す第４の実施の形態と同一部分には同一符号を付して詳細な説明は省略する。
【００８１】
図７（ａ）、（ｂ）に示すように、一対のレール支持部材１１の間に連結部材１９が連結され、この連結部材１９の側方に、緩衝装置９を支持する装置取付部材１２が連結されている。また、連結部材１９は、長手方向に分割された複数、例えば３個の分割部材２０を有している。なお、本実施の形態においては、各レール支持部材１１の間に、３つの分割部材２０（一対の第１分割部材２１、第２分割部材２２）が連結されている場合について述べる。しかしながら一対のレール支持部材１１の間に連結される分割部材２０の個数は３つに限られることなく、各レール支持部材１１の間の距離に対応して任意の個数とすることもできる。
【００８２】
また、図７（ａ）、（ｂ）に示すように、レール支持部材１１の当接板１１ｂに第１磁石部材５１が設けられ、第１分割部材２１の当接板２１ｂに、第１磁石部材５１に吸着される第１吸着部５５が設けられている。また、この第１吸着部５５が設けられた第１分割部材２１の当接板２１ｂに第２磁石部材５２が設けられ、レール支持部材１１の当接板１１ｂに、第２磁石部材５２に吸着される第２吸着部５６が設けられている。
【００８３】
また、第１分割部材２１の当接板２１ｂに第１磁石部材５１が設けられ、第２分割部材２２の当接板２２ｂに、第１磁石部材５１に吸着される第１吸着部５５が設けられている。また、この第１吸着部５５が設けられた第２分割部材２２の当接板２２ｂに第２磁石部材５２が設けられ、第１分割部材２１の当接板２１ｂに、第２磁石部材５２に吸着される第２吸着部５６が設けられている。
【００８４】
また、装置取付部材１２に隣接する側の第２分割部材２２の形鋼２２ａ側面に、第３磁石部材５３が設けられ、第２分割部材２２に隣接する側の装置取付部材１２の形鋼１２ａ側面に、第３磁石部材５３に吸着される第３吸着部５７が設けられている。また、この第３吸着部５７が設けられた装置取付部材１２の形鋼１２ａ側面に、第４磁石部材５４が設けられ、第２分割部材２２の形鋼２２ａ側面に、第４磁石部材５４に吸着される第４吸着部５８が設けられている。
【００８５】
また、隣接する装置取付部１２とは反対側の第２分割部材２２の形鋼２２ａ側面に、第３吸着部５７および第４磁石部材５４が各々設けられている。
【００８６】
また、隣接する第２分割部材２２とは反対側の装置取付部材１２の形鋼１２ａ側面に、第３磁石部材５３および第４吸着部５８が各々設けられている。
【００８７】
さらに、第２分割部材２２と同様にして、第１分割部材２１の各形鋼２１ａ側面に、第３磁石部材５３、および第４磁石部材５４が各々設けられるとともに、第３吸着部５７、および第４吸着部５８が各々設けられている。
【００８８】
なお、上述した第１吸着部５５、第２吸着部５６、第３吸着部５７、および第４吸着部５８は、磁性材料からなっている。
【００８９】
このように本実施の形態によれば、昇降路２の底部２ａに一対の乗りかご用ガイドレール４または一対の釣合重り用ガイドレール７を支持する一対のレール支持部材１１が設けられ、この一対のレール支持部材１１の間に連結部材１９が連結される。また、この連結部材１９の側方に、緩衝装置９を取り付ける装置取付部材１２が連結される。この際、第１分割部材２１、第２分割部材２２、および装置取付部材１２は、いずれも各当接板２１ｂ、２２ｂ、１２ｂだけでなく、各形鋼２１ａ、２２ａ、１２ａ側面にも磁石部材５３、５４および吸着部５７、５８が各々設けられている。このことにより、第１分割部材２１、第２分割部材２２、および装置取付部材１２を、各レール支持部材１１間の長手方向に配置するだけでなく、長手方向とは直交する方向にも配置することができる。また、各レール支持部材１１、連結部材１９の第１分割部材２１および第２分割部材２２、並びに装置取付部材１２は、ボルト等を用いることなく、各々に設けられた磁石部材５１、５２、５３、５４が対応する吸着部５５、５６、５７、５８に順次吸着されて互いに連結される。このことにより、各レール支持部材１１、連結部材１９の第１分割部材２１および第２分割部材２２、並びに装置取付部材１２を互いに容易に連結することができる。このため、乗りかご用ガイドレール４または釣合重り用ガイドレール７と緩衝装置９との間の位置関係が一直線上に配置されることがない多様な位置関係である場合においても、緩衝装置９を容易に取り付けることができる。
【００９０】
第７の実施の形態
次に、図８により、本発明の第７の実施の形態におけるエレベータの緩衝装置取付台について説明する。ここで図８（ａ）、（ｂ）は、本発明の第７の実施の形態によるエレベータの緩衝装置取付台を示す平面図であり、図８（ｂ）は、図８（ａ）の側面図である。
【００９１】
図８（ａ）、（ｂ）に示す第７の実施の形態において、ベース上に、各レール支持部材、装置取付部材が設けられる点が異なるのみであり、他の構成は、図１および図２に示す第１の実施の形態と略同一である。なお、図７（ａ）、（ｂ）において、図１および図２に示す第１の実施の形態と同一部分には同一符号を付して詳細な説明は省略する。
【００９２】
図８（ａ）、（ｂ）に示すように、昇降路２の底面２ａ（図１参照）に、上面に複数の凸部６１を有するベース６０が設置されており、この凸部６１は円筒状に形成されている。また、ベース６０上に、下面にベース６０の凸部６１に係合するスリット部１１ｄを有し、一対の乗りかご用ガイドレール４または一対の釣合重り用ガイドレール７を支持する一対のレール支持部材１１が設けられている。さらに、ベース６０上に、下面にベース６０の凸部６１に係合するスリット部１２ｅを有し、緩衝装置９を支持する装置取付部材１２が設けられている。
【００９３】
このうち各レール支持部材１１は、図８（ａ）、（ｂ）に示すように、長手方向に直交する方向となる幅寸法Ａは、間に１つの凸部６１を隔てた幅方向の２つの凸部６１の外周間の距離に対応している。このことにより、ベース６０上に各レール支持部材１１を取り付ける場合、各レール支持部材１１の幅方向の両側面がベース６０の凸部６１に各々当接するようになっている。
【００９４】
また、装置取付部材１２は、図８（ａ）、（ｂ）に示すように、長手方向に直交する方向となる幅寸法Ｂは、間に１つの凸部６１を隔てた幅方向の２つの凸部６１の外周間の距離に対応している。また、装置取付部材１２の長手方向寸法Ｃは、間に１つの凸部６１を隔てた長手方向の２つの凸部６１の外周間の距離に対応している。このことにより、ベース６０上に装置取付部材１２を取り付ける場合、装置取付部材１２の幅方向の両側面がベース６０の凸部６１に各々当接するとともに、装置取付部材１２の長手方向の両側面がベース６０の凸部６１に各々当接するようになっている。
【００９５】
図８（ａ）、（ｂ）に示すように、まず、昇降路２の底部２ａ（図１参照）に、アンカーボルト（図示せず）等を用いて、ベース６０が設置される。
【００９６】
次に、ベース６０上面の凸部６１に装置取付部材１２下面のスリット部１２ｅを係合させながら、ベース６０上に装置取付部材１２が取り付けられる。この場合、装置取付部材１２の幅方向の両側面がベース６０の凸部６１に各々当接するとともに、装置取付部材１２の長手方向の両側面がベース６０の凸部６１に各々当接する。このことにより、ベース６０に対して装置取付部材１２を固定することができる。
【００９７】
次に、ベース６０上面の凸部６１に各レール支持部材１１下面のスリット部１１ｄを係合させながら、ベース６０上に各レール支持部材１１が取り付けられる。この場合、各レール支持部材１１の幅方向の両側面がベース６０の凸部６１に各々当接する。このことにより、ベース６０に対して各レール支持部材１１が回転することを防止することができる。
【００９８】
このように本実施の形態によれば、昇降路２の底面２ａに、上面に複数の凸部６１を有するベース６０が設置され、このベース６０上に、下面にベース６０の凸部６１に係合するスリット部１１ｄを有し、一対の乗りかご用ガイドレール４または一対の釣合重り用ガイドレール７を支持する一対のレール支持部材１１が設けられる。また、ベース６０上に、下面にベース６０の凸部６１に係合するスリット部１２ｅを有し、緩衝装置９を支持する装置取付部材１２が設けられる。この場合、各レール支持部材１１および装置取付部材１２は、ベース６０上の複数の凸部６１に対応する位置に取り付けることができる。このことにより、装置取付部材１２を、各レール支持部材１１間の長手方向に配置するだけでなく、長手方向とは直交する方向にも配置することができる。また、各レール支持部材１１および装置取付部材１２は、ボルト等を用いることなく、各レール支持部材１１下面のスリット部１１ｄおよび装置取付部材１２下面のスリット部１２ｅをベース６０上の凸部６１に各々係合させてベース６０上に取り付けられる。このことにより、各レール支持部材１１および装置取付部材１２をベース６０上に容易に取り付けることができる。このため、乗りかご用ガイドレール４または釣合重り用ガイドレール７と緩衝装置９との間の位置関係が一直線上に配置されることがない多様な位置関係にある場合においても、緩衝装置９を容易に取り付けることができる。
【図面の簡単な説明】
【００９９】
【図１】図１は、エレベータ装置の全体構成を示す図。
【図２】図２（ａ）は、本発明の第１の実施の形態におけるエレベータの緩衝装置取付台を示す平面図。図２（ｂ）は図２（ａ）の側面図。
【図３】図３（ａ）は、本発明の第２の実施の形態におけるエレベータの緩衝装置取付台を示す平面図。図３（ｂ）は図３（ａ）の側面図。
【図４】図４（ａ）は、本発明の第３の実施の形態におけるエレベータの緩衝装置取付台を示す平面図。図４（ｂ）は図４（ａ）の側面図。
【図５】図５（ａ）は、本発明の第４の実施の形態におけるエレベータの緩衝装置取付台を示す平面図。図５（ｂ）は図５（ａ）の側面図。
【図６】図６（ａ）は、本発明の第５の実施の形態におけるエレベータの緩衝装置取付台を示す平面図。図６（ｂ）は図６（ａ）の側面図。
【図７】図７（ａ）は、本発明の第６の実施の形態におけるエレベータの緩衝装置取付台を示す平面図。図７（ｂ）は図７（ａ）の側面図。
【図８】図８（ａ）は、本発明の第７の実施の形態におけるエレベータの緩衝装置取付台を示す平面図。図８（ｂ）は図８（ａ）の側面図。
【図９】図９（ａ）は、従来のエレベータの緩衝装置取付台を示す平面図。図９（ｂ）は図９（ａ）の側面図。
【符号の説明】
【０１００】
１      エレベータ装置
２      昇降路
２ａ    底部
３      乗りかご
４      乗りかご用ガイドレール
５      主ロープ
６      釣合重り
７      釣合重り用ガイドレール
８      駆動装置
９      緩衝装置
１０    緩衝装置取付台
１１    レール支持部材
１１ａ  レール支持部材本体
１１ｂ  当接板
１１ｃ  レール取付座
１１ｄ  スリット部
１２    装置取付部材
１２ａ  装置取付部材本体
１２ｂ  当接板
１２ｃ  装置取付座
１２ｄ  装置取付穴
１２ｅ  スリット部
１５    ボルト等
１９    連結部材
２０    分割部材
２１    第１分割部材
２１ａ  第１分割部材本体
２１ｂ  当接板
２２    第２分割部材
２２ａ  第２分割部材本体
２２ｂ  当接板
３１    第１部材
３１ａ  第１部材本体
３１ｂ  当接板
３１ｃ  締結手段取付穴
３２    第２部材
３２ａ  第２部材本体
３２ｂ  当接板
３２ｃ  締結手段取付穴
３３    締結手段
４１    第１フック部材
４２    第２フック部材
４３    第３フック部材
４４    第４フック部材
４５    第１係合部
４６    第２係合部
４７    第３係合部
４８    第４係合部
５１    第１磁石部材
５２    第２磁石部材
５３    第３磁石部材
５４    第４磁石部材
５５    第１吸着部
５６    第２吸着部
５７    第３吸着部
５８    第４吸着部
６０    ベース
６１    凸部
７０    緩衝装置取付台
７１    取付台本体
７２    レール支持部
７３    装置取付部
７４    乗りかご用ガイドレール
７５    釣合重り用ガイドレール
７６    昇降路
７６ａ  底部
【図１】
2009214999.tif 000003
【図２】
2009214999.tif 000004
【図３】
2009214999.tif 000005
【図４】
2009214999.tif 000006
【図５】
2009214999.tif 000007
【図６】
2009214999.tif 000008
【図７】
2009214999.tif 000009
【図８】
2009214999.tif 000010
【図９】
2009214999.tif 000011